(57)【要約】【課題】紐もなく皮膚に接着しなくても服の内面との摩擦によりずり落ちない発砲ポリウレタン素材の画期的な摩擦ブラジャーに関するものである。このようなブラジャーは着用が簡便で着用感が良く、製造単価も節減され紐の圧迫が全然なく、紐の外部露出による服の着こなしの低下も全然なく、ブラジャーにボリューム感を与え胸が豊満に見えるようにすることも容易で、非常に軽く永久的に使用可能で洗濯も容易である。【解決手段】ポリウレタンを発砲させモールディング成形して形成され、外側に膨れ上がり内側に丸くへこんだブラジャーカップ３００を含み、ブラジャーカップ３００に如何なるブラジャー紐も形成されておらず、ブラジャーカップ３００を乳房部位に置くだけでブラジャーカップ３００表面と服３０２の内側の面の間の摩擦によりブラジャーカップ３００の位置移動が防止されることによってブラジャーが乳房部位に固定され着用される。【選択図】図４
2005330635.tif 000002
【特許請求の範囲】
【請求項１】
摩擦ブラジャーにおいて、
ポリウレタンを発砲させモールディング成形して形成され、外側には膨れ上がり内側には丸くへこんだブラジャーカップを含み、
前記ブラジャーカップに如何なるブラジャー紐も形成されておらず、前記ブラジャーカップを乳房部位に置くだけで前記ブラジャーカップ表面と服の内側の面の間の摩擦により前記ブラジャーカップの位置移動が防止されることによってブラジャーが乳房部位に固定され着用されることをその特徴とする紐のない摩擦ブラジャー。
【請求項２】
前記ブラジャーカップはその重さが１０ｇ以下であることをその特徴とする請求項１に記載の紐のない摩擦ブラジャー。
【発明の詳細な説明】
【技術分野】
【０００１】
本発明はブラジャー｛friction bra｝に関するものである。より具体的には、紐無しでブラジャーカップのみで着用するブラジャーに関するものである。
【背景技術】
【０００２】
従来のブラジャー１０は、図１（ａ），（ｂ）に示すように、紐がブラジャーカップに連結されて着用するのが一般的であった。すなわち、肩の紐と背中の後ろにまわる紐によってブラジャー１０を着用するのが一般的であった。このようなブラジャー１０において、胸を豊満に見せるためにブラジャーカップ内に内側布１２と外側布１１の織物でできたパッド２０を挿入する場合もあった。
【０００３】
また、紐がないブラジャーも提案されたが、これは図２の断面図に示すように、接着層２６がブラジャーカップの内側の面に形成されることによって、接着層２６の接着力によりブラジャーを着用するものであった。しかし、このような接着式ブラジャーは、接着部位の風通しが不可能であり、汗が満ちて鬱陶しいという決定的な短所がある。従って、一定時間以上の着用時、接着部位が痒くなったりする等、不便を誘発するという短所がある。そのうえ、接着力は時間が経過するに従って減少するほかないため、接着力の減少により寿命が切れるという問題点もある。
【０００４】
なお、本発明のポリウレタン製のブラジャーに関連する先行技術文献情報としては次のものがある。
【０００５】
【特許文献１】大韓民国登録特許公報第０１４５０９６号
【特許文献２】大韓民国公開特許公報第１９９９−００５２５８９号
【発明の開示】
【発明が解決しようとする課題】
【０００６】
本発明は、ブラジャーカップの内側に形成される接着物の接着力により着用する方式ではなく、ブラジャーカップ自体の摩擦力を利用してブラジャーカップと服内面の摩擦によりブラジャーカップの移動が防止され、ブラジャーカップを乳房に固定着用する画期的な構造の紐無しブラジャーを提供し、すがすがしく換気性の優れたブラジャーを提供することをその目的とする。
【０００７】
また、本発明は半永久的に寿命が維持される紐無しブラジャーを提供することをその目的とする。
さらに、本発明は接着層がない紐無しブラジャーを提供することによって、簡便に水で洗浄可能な紐無しブラジャーを提供することをその目的とする。
さらにまた、本発明は非常に軽く着用感が優れ、ブラジャーカップ自体によりボリューム感を生かすことのできるブラジャーを提供することをその目的とする。
そして、本発明は、裁縫工程無しでブラジャーを製造することを可能にし、製造単価を画期的に下げることができるブラジャーを提供することをその目的とする。
【課題を解決するための手段】
【０００８】
前記課題を解決するため、本発明は、摩擦ブラジャーにおいて、ポリウレタンを発砲させモールディング成形して形成され、外側には膨れ上がり内側には丸くへこんだブラジャーカップを含み、前記ブラジャーカップに如何なるブラジャー紐も形成されておらず、前記ブラジャーカップを乳房部位に置くだけで前記ブラジャーカップ表面と服の内側の面の間の摩擦により前記ブラジャーカップの位置移動が防止されることによってブラジャーが乳房部位に固定され着用されることをその特徴とする紐のない摩擦ブラジャーを提供するものである。
【発明の効果】
【０００９】
本発明は、発想の転換により紐もなく皮膚に接着しなくても服の内面との摩擦によりずり落ちない画期的な摩擦ブラジャーを提供することによって、着用が簡便で着用感が良く製造単価も節減され、紐の圧迫が全然なく、紐の外部露出による服の着こなしの低下も全然なく、ブラジャーにボリューム感を与え胸が豊満に見えるようにすることも容易で、非常に軽く永久的に使用可能で、洗濯も容易なブラジャーを提供することができる。
【発明を実施するための最良の形態】
【００１０】
以下、添付図面を参照して本発明を詳細に説明する。
【００１１】
図３は、本発明の実施形態を示した図面である。本発明は、発砲ポリウレタン素材をモールディング成形したブラジャーカップ３００で形成されている。発砲ポリウレタン素材は非常に軽く表面の摩擦力が大きい。図示されたような一対のブラジャーカップ３００には何の紐も形成されていない。
【００１２】
ポリウレタン樹脂の発砲は、ポリウレタン樹脂内部に予め混合されていた発砲剤を分解させて気体を発生させたり、樹脂と反応して気体を発生させたり、または相変化により気体を発生させて気泡の核を生成させることでもって周辺の樹脂と明らかな境界を持つ気泡の形態を形成する。これにより発砲した材料は一般的に機械的物性が低下するが、低い密度により軽量化、材料の節約、衝撃強度と比強度の向上、防音性と断熱性の増進、それから母材の硬化時密度変化による体積収縮を保障し、製品の寸法を安定化する長所がある。比重を極少化するためには、水分の吸収を防止するために乾燥した雰囲気でポリウレタンを発砲することが望ましい。さらに、発砲ポリウレタンは、表面が粗くなり表面摩擦力が増加する。すなわち、孔隙の存在により表面が滑らかでなくなるため、自然と摩擦力が増加するのである。ポリウレタンの発砲成形法については、大韓民国登録特許公報第0145096号、大韓民国公開特許公報第1999-0052589号など多くの文献に開示されているので、詳細な説明は省略する。
【００１３】
発砲ポリウレタンで超軽量材料を形成することが可能であり、モールディング成形法により製造するので多様な形状に製造することが可能である。従って、超軽量、高摩擦ブラジャーカップ３００を形成することが可能である。図３に示されたように、発砲ポリウレタン材質のブラジャーカップ３００を形成することができる。
【００１４】
図３に示されたような発砲ポリウレタンブラジャーカップ３００は、非常に軽く、表面摩擦力が非常に大きい。重さの負担を減らすためにブラジャーカップ３００は夫々７ｇ以下に非常に軽く製造することが望ましい。例えば、ブラジャーカップ３００は、左右夫々５ｇ程度に製造する。また、モールディング成形法により適当なボリュームを持つよう多用な形状に容易に製造することができる。図４に図示された側面図のように、本発明のブラジャーカップ３００は外側に凸状に膨れ上がり、内側に丸く凹状にくぼんだ形状を持つように形成するが、多様なプロファイルへ変形することができ、厚みを多様に変形可能である。
【００１５】
図３のブラジャーカップ３００を服３０２の中に入れると、ブラジャーカップ３００の形状が外側に膨れているので、図４に示したように自然と服３０２と密接するようになる。その状態でブラジャーカップ３００の表面は服３０２の内面との間で摩擦力が作用する。摩擦力は、ブラジャーカップ３００の横移動を妨害する方向に作用するのは当然である。ブラジャーカップ３００が非常に軽いため、ブラジャーカップ３００の移動を誘引する外力はブラジャーカップ３００と服３０２の間で作用する摩擦力に勝つことができず、従ってブラジャーカップ３００の移動が防止され、ブラジャーカップ３００が固定されるようになる。
【００１６】
図５は、発砲ポリウレタン素材のブラジャーカップ３００と服３０２の間に作用する摩擦力について説明するための部分拡大図である。図示されたように服３０２表面のざらざらと、発砲ポリウレタン素材表面のざらざらにより、服３０２と発砲ポリウレタンブラジャーカップ３００表面間に摩擦力が作用する。発砲ポリウレタン素材は、比重が非常に小さく軽く形成することが可能で、同時に多孔性物質として表面に非常に不規則的な小さな穴が多数形成されており、その摩擦力が非常に大きい。従って、殆ど全ての繊維の服３０２との間で非常に大きな接触摩擦力が発生するようになる。
【００１７】
こうした摩擦力は、ブラジャーカップ３００と服３０２が接触している状態で服３０２に対するブラジャーカップ３００の横方向の位置移動を防止する程度の大きさである。これは、所謂スポンジなどの発砲素材を服３０２の中に入れてみれば簡単に体験することができる。本発明は、このように発砲ポリウレタン素材と服３０２の間の摩擦力が非常に大きいということに着眼したものであり、図３の発砲ポリウレタンブラジャーカップ３００を服３０２の中の胸部に入れるだけで服３０２との摩擦によりブラジャーカップ３００が固定され下に落ちたり位置が離脱したりしない。従って、ブラジャーの着用が非常に簡便で、紐の圧迫感から開放され非常に楽な着用感を得る。さらに、外部に肩の紐や背中の後ろにまわる紐などが露出することも防止され、着用が便利で、ブラジャーの紐がないため非常にすがすがしく、さらにブラジャーカップ３００に適正ボリュームを与えることができるので胸が豊満に見えるようにすることができる。
【図面の簡単な説明】
【００１８】
【図１】従来の紐のあるブラジャーを示し、（ａ）は一部を破断した斜視図、（ｂ）は一部を破断した側面図である。
【図２】従来の紐のない接着式ブラジャーを示す側面図である。
【図３】本発明の実施形態に係る紐のない摩擦ブラジャーを示す正面図である。
【図４】本発明の摩擦ブラジャーを着用した姿を示す側面図である。
【図５】本発明の摩擦ブラジャーと服の内面の接触摩擦状態を示すための図４の部分拡大図である。
【符号の説明】
【００１９】
３００      ブラジャーカップ
３０２      服
【図１】
2005330635.tif 000003
【図２】
2005330635.tif 000004
【図３】
2005330635.tif 000005
【図４】
2005330635.tif 000006
【図５】
2005330635.tif 000007